(57)【要約】【課題】ガスバーナが臨むバーナ用開口部と、横長矩形状の排気ダクト用開口部とが設けられ、本体ケースの上端のケース開口部を覆う金属製の天板と、排気ダクト用開口部まで延びる排気ダクトを備え且つ本体ケース内に配設されたグリルとを具備するガスコンロにおいて、排気ダクト用開口部の前側長辺が下方に垂れ下がった状態に変形するのを抑制することにより、排気ダクト用開口部の前方隣接部のガスバーナ上方に載置される調理鍋の姿勢安定性の低下を防止すること。【解決手段】排気ダクト用開口部に、該排気ダクト用開口部の長辺相互間を連結するブリッジが形成され、排気ダクトから排出される燃焼排気の流れをブリッジの形成部に対して横方向に分散させるための分流体をブリッジの下方位置に設けたこと。【選択図】　図１
2004060962.tif 000002
【特許請求の範囲】
【請求項１】
ガスバーナが臨むバーナ用開口部と、横長矩形状の排気ダクト用開口部とが設けられ、本体ケースの上端のケース開口部を覆う金属製の天板と、
前記排気ダクト用開口部まで延びる排気ダクトを備え且つ前記本体ケース内に配設されたグリルとを具備するガスコンロにおいて、
前記排気ダクト用開口部に、該排気ダクト用開口部の長辺相互間を連結するブリッジが形成され、
前記排気ダクトから排出される燃焼排気の流れを前記ブリッジの形成部に対して横方向に分散させるための分流体が、前記ブリッジの下方位置に設けられた、ガスコンロ。
【請求項２】
請求項１に記載のガスコンロにおいて、
前記ブリッジは、前記排気ダクト用開口部の長辺中央相互間に設けられた、ガスコンロ。
【請求項３】
請求項１又は２に記載のガスコンロにおいて、
前記ブリッジは、前記排気ダクト用開口部の前方隣接部に設けられたバーナ用開口部の中心から後方に延長した直線上に設けられた、ガスコンロ。
【請求項４】
請求項１から３のいずれかに記載のガスコンロにおいて、
前記排気ダクト用開口部は、前記天板の後部中央に設けられ、
前記排気ダクト用開口部の前方には、該排気ダクト用開口部と隣接し且つ前記天板の縦中心線上に設けられたバーナ用開口部と、該バーナ用開口部の前方で且つ前記天板の縦中心線を挟んで横方向に並ぶ二つのバーナ用開口部が設けられており、
前記ブリッジは、前記天板の縦中心線上に形成された、ガスコンロ。
【発明の詳細な説明】
【０００１】
【発明の属する技術分野】
本発明は、グリルを備えたガスコンロに関するものである。
【０００２】
【従来の技術】
グリルを備えた従来のガスコンロとして、システムキッチンのカウンタトップに開設されたカウンタ孔に落とし込み状態に装着する形式のガスコンロ、即ち、ビルトインコンロの断面図を図５に示す。
【０００３】
システムキッチンのカウンタトップ１１に開設されたカウンタ孔１２には、コンロ本体２ａを構成する本体ケース２２６が落とし込み状態に装着されており、該本体ケース２２６の上端から張り出した係合フランジ２２７が前記カウンタ孔１２の周縁に係合している。
【０００４】
上記本体ケース２２６上面のケース開口部２０ａは、上下に浅く絞られた金属製の天板２２４で覆われており、該天板２２４の外周部が上記本体ケース２２６の係合フランジ２２７上に載置されている。
【０００５】
一方、前記本体ケース２２６内の底部には、前記天板２２４の裏面近傍まで延びる排気ダクト５５６を備えたグリル５５１が配設されており、該排気ダクト５５６先端の排気口５５７は、前記天板２２４に開設された排気ダクト用開口部２２２の下方近傍に位置している。また、前記グリル５５１内の天井部にはグリルバーナ５５２が設けられている。
【０００６】
上記グリル５５１の上方には、複数のガスバーナ３０，３０が配設されており、前記天板２２４には、該各ガスバーナ３０，３０が臨むバーナ用開口部２２５，２２５が開設されている。即ち、平面視において、該バーナ用開口部２２５，２２５は前記ガスバーナ３０，３０のバーナヘッド３１，３１と略同心位置に設けられている。さらに、前記バーナ用開口部２２５，２２５の上方には五徳７１、７１が配設されている。
【０００７】
このものでは、前記グリルバーナ５５２を燃焼させることにより、前記グリル５５１内のトレー５５５に載置した魚等を加熱調理することができる。このとき、前記グリルバーナ５５２から発生する高温の燃焼排気は、前記排気ダクト５５６を通じて前記排気口５５７からコンロ本体２の上方へ排出される。また、前記ガスバーナ３０，３０を燃焼させることにより、前記五徳７１，７１に載置した調理鍋内の食材等を加熱調理することができる。
【０００８】
【発明が解決しようとする課題】
しかしながら、前記天板２２４に開設された排気ダクト用開口部２２２は、図６のように、使用者の安全性および燃焼排気の排出効率を考慮し、前記天板２２４の後方に設けられるとともに前記排気口５５７より一回り大きな横長の長方形状に形成されている。従って、前記排気ダクト用開口部２２２の前側長辺２２２０に沿った領域は、その他の領域に比べて強度が弱く、前記天板２２４上面に荷重が加わった場合にその他の領域に比べてたわみやすい。
【０００９】
さらに、前記排気ダクト用開口部２２２は、排気ダクト５５６から排出される高温の燃焼排気によって加熱され、剛性が低下するから一層たわみやすい。
従って、上記たわみが顕著な場合は、前記排気ダクト用開口部２２２の前側長辺２２２０が下方へ垂れ下がった状態に変形し、これにより、前記排気ダクト用開口部２２２の前方隣接部のガスバーナ３０上方に載置される調理鍋の姿勢安定性が低下するという問題があった。
【００１０】
特に、前記排気ダクト用開口部２２２とその前方隣接部に位置するバーナ用開口部２２５相互間の間隔部２２９はそれ以外の部位と比べて細幅に形成されているから変形しやすく、調理鍋の姿勢安定性が一層低下する。
【００１１】
また、前記前側長辺２２２０に沿った領域は、その下方に前記排気ダクト５５６が位置していることから、該前側長辺２２２０に沿った領域を下方から支柱で支持する等の補強も困難であった。
【００１２】
本発明は係る点に鑑みて成されたもので、
『ガスバーナが臨むバーナ用開口部と、横長矩形状の排気ダクト用開口部とが設けられ、本体ケースの上端のケース開口部を覆う金属製の天板と、
前記排気ダクト用開口部まで延びる排気ダクトを備え且つ前記本体ケース内に配設されたグリルとを具備するガスコンロ』において、前記排気ダクト用開口部の前側長辺が下方に垂れ下がった状態に変形するのを抑制することにより、前記排気ダクト用開口部の前方隣接部のガスバーナ３０上方に載置される調理鍋の姿勢安定性が低下する不都合を防止することをその課題とする。
【００１３】
【課題を解決するための手段】
［１項］
上記課題を解決するための本発明の技術的手段は、
『前記排気ダクト用開口部に、該排気ダクト用開口部の長辺相互間を連結するブリッジが形成され、
前記排気ダクトから排出される燃焼排気の流れを前記ブリッジの形成部に対して横方向に分散させるための分流体が、前記ブリッジの下方位置に設けられた』ことである。
【００１４】
上記技術的手段によれば、排気ダクト用開口部の長辺相互間を連結するブリッジが形成されているから、前記長辺に沿った領域の強度が向上する。従って、前記五徳７１に調理鍋等を載置して前記天板に荷重が加わった場合にも、前記長辺に沿った領域の下方への変形が抑制される。
【００１５】
また、前記排気ダクトから排出される高温の燃焼排気の流れは、前記分流体によって前記ブリッジの形成部に対して横方向（前記排気ダクト用開口部の長辺に沿った方向）に分散されるから、前記燃焼排気が前記ブリッジに直接的に噴きつけられない。従って、前記ブリッジの過熱による剛性低下が防止される。
【００１６】
［２項］
前記１項において、
『前記ブリッジは、前記排気ダクト用開口部の長辺中央相互間に設けられた』ものとすれば、前記排気ダクト用開口部の長辺のたわみ量の大きい中央部分が前記ブリッジによって支持された状態になるから、前記長辺に沿った領域の下方への変形が一層抑制される。
【００１７】
［３項］
前記１項又は２項において、
『前記ブリッジは、前記排気ダクト用開口部の前方隣接部に設けられたバーナ用開口部の中心から後方に延長した直線上に設けられた』ものでは、対向距離が短いゆえに他の部位と比べて変形しやすい前記排気ダクト用開口部と前記バーナ用開口部相互間の間隔部が、前記ブリッジによって支持された状態になるから、前記間隔部の過大な変形が抑制される。
【００１８】
［４項］
前記１項から３項のいずれかにおいて、
『前記排気ダクト用開口部は、前記天板の後部中央に設けられ、
前記排気ダクト用開口部の前方には、該排気ダクト用開口部と隣接し且つ前記天板の縦中心線上に設けられたバーナ用開口部と、該バーナ用開口部の前方で且つ前記天板の縦中心線を挟んで横方向に並ぶ二つのバーナ用開口部が設けられており、
前記ブリッジは、前記天板の縦中心線上に形成された』ものとすれば、前記排気ダクト用開口部の前側長辺のうち、たわみ量の大きい天板の縦中心線上に位置する部位が前記ブリッジによって支持された状態になるから、前記前側長辺の下方への変形が一層抑制される。
【００１９】
【発明の効果】
本発明は、上記構成であるから次の特有の効果を有する。
前記五徳７１に調理鍋等を載置して前記天板に荷重が加わった場合にも、前記長辺に沿った領域の下方への変形が抑制されるから、調理鍋等の姿勢安定性が低下する不都合を防止することができる。
【００２０】
また、前記ブリッジの下方に分流体が設けられたことによって、前記ブリッジの過熱による剛性低下が防止されるから、前記ブリッジの機能を保持することができる。
【００２１】
２項、４項のものでは、既述したように、前記長辺に沿った領域の下方への変形が一層抑制されるから、また、３項のものでは、前記間隔部の過大な変形が抑制されるから、調理鍋等の姿勢安定性が低下する不都合を一層効果的に防止することができる。
【００２２】
【発明の実施の形態】
次に、上記した本発明を、システムキッチンのカウンタトップに開設されたカウンタ孔に落とし込み状態で装着されるビルトインコンロに実施した場合を例示的に説明する。
【００２３】
図１は、本発明の実施の形態に係るビルトインコンロの分解斜視図であり、図２は天板２４の平面図、図３はビルトインコンロの後端部分の断面図、図４は後述する排気ダクト５６上端近傍の断面図である。
【００２４】
図１に示すように、本実施の形態に係るビルトインコンロは、上方に開口する矩形箱状の本体ケース２６と、該本体ケース２６の底部に配設されるグリル５１と、該グリル５１の上方に於いて横方向に並ぶ大・中能力のガスバーナ３０，３０と、その両ガスバーナ３０，３０相互間の後方に配設される小能力のガスバーナ３０と、前記本体ケース２６上端のケース開口部２０を被蓋する金属製の天板２４と、該天板２４の上方で且つ前記ガスバーナ３０，３０，３０に各別に対応する位置に載置される五徳７１，７１，７１とを備えている。
【００２５】
前記本体ケース２６は、カウンタトップ１１に開設されたカウンタ孔１２に落とし込み状態で装着されており、前記ケース開口部２０の外周に形成された係合フランジ２７が前記カウンタ孔１２の周縁部に係合している。また、前記係合フランジ２７の上部には、前記天板２４の外周部が該係合フランジ２７を覆った状態に載置されている。
【００２６】
以下、各部の詳細を説明する。
［天板２４について］
前記本体ケース２６上端のケース開口部２０を被蓋する天板２４は、板金を上下に浅く絞り加工された平面矩形状の板状体であり、図２に示すように、既述ガスバーナ３０，３０が臨み且つ該天板２４の縦中心線を挟んで横方向に並ぶ二つの円形状の開口であるバーナ用開口部２５ａ，２５ｂ（以下、「前バーナ用開口部」という）と、既述ガスバーナ３０が臨み且つ前記両前バーナ用開口部２５ａ，２５ｂ相互間の後方で前記天板２４の縦中心線上に位置する一つの円形状の開口であるバーナ用開口部２５ｃ（以下、「後バーナ用開口部」という）とが設けられている。即ち、前記前バーナ用開口部２５ａ，２５ｂおよび後バーナ用開口部２５ｃは既述ガスバーナ３０，３０，３０のバーナヘッド３１，３１，３１と略同心位置に設けられている。
【００２７】
前記前バーナ用開口部２５ａ，２５ｂおよび後バーナ用開口部２５ｃには、前記バーナヘッド３１，３１，３１に遊嵌する態様で汁受皿６１，６１，６１が落とし込み状態に装着されるとともに、該汁受皿６１，６１，６１の周縁部に前記五徳７１，７１，７１が載置される。
【００２８】
尚、図２においては、前記前バーナ用開口部２５ａおよび前記後バーナ用開口部２５ｃに装着される前記汁受皿６１，６１および前記五徳７１，７１は図示省略している。
【００２９】
また、前記後バーナ用開口部２５ｃの後方には、後述する排気ダクト５６先端の排気口５７より一回り大きな横に長い矩形状の開口である排気ダクト用開口部２２が設けられており、該排気ダクト用開口部２２は、その縦中心線が前記天板２４の縦中心線と一致する位置に設けられている。
【００３０】
さらに、前記排気ダクト用開口部２２には、該排気ダクト用開口部２２の前側長辺２２０の中央から後側長辺中央までの間、即ち、対向距離が短い故に他の部位と比べて変形しやすい前記後バーナ用開口部２５ｃと前記排気ダクト用開口部２２相互間の間隔部２９から、該排気ダクト用開口部２２の後側長辺中央までの間を連結する板状のブリッジ２８が前記天板２４と一体的に形成されている。
【００３１】
従って、前記排気ダクト用開口部２２は、その縦中心線上で左右二つの矩形状開口である第１排気ダクト用開口部２２ａおよび第２排気ダクト用開口部２２ｂに分割された状態になっている。
また、前記天板２４の後部には、前記排気ダクト用開口部２２全体をその上方から覆う態様で設けられる排気ガード９１が装着されている。
【００３２】
［グリル５１について］
既述本体ケース２６の底部中央に配設されるグリル５１は、コンロ本体２の前後方向に長い矩形箱状に形成されており、その後端から前記天板２４の前記排気ダクト用開口部２２の下方近傍まで延びる矩形筒状の排気ダクト５６を備えている。
【００３３】
また、前記グリル５１内には、その天井部に配設されるグリルバーナ５２と、底部に配設されるトレー５５とを備えている（図３参照）。
【００３４】
さらに、前記排気ダクト５６先端の排気口５７は、横に長い矩形状に形成されており、該排気口５７の縦中心線が前記排気ダクト用開口部２２の縦中心線と一致する位置に設けられている。また、前記排気口５７には、前記ブリッジ２８の垂直下方に位置し、該排気口５７の長辺中央からやや下方の対向面相互を連結する断面Ｖ字状の分流体５８が設けられている（図４参照）。
【００３５】
従って、前記排気口５７は、その縦中心で左右二つの矩形状開口である第１排気口５７ａおよび第２排気口５７ｂに分割された状態、即ち、前記排気ダクト５６がその先端近傍で二経路に分岐された状態になっている。
【００３６】
［使用の実際］
このものでは、既述したように、前記排気ダクト用開口部２２には、前記後バーナ用開口部２５ｃと前記排気ダクト用開口部２２相互間の前記間隔部２９から、該排気ダクト用開口部２２の後側長辺中央までの間を連結するブリッジ２８が形成されている。
【００３７】
即ち、他の部位と比べてたわみやすい前記排気ダクト用開口部２２の前側長辺２２０のうち、最もたわみ量の大きい前記間隔部２９が前記ブリッジ２８によって支持されているから、実際に、前記後バーナ用開口部２５ｃの周縁部に載置される五徳７１に調理鍋等を載置した場合に、前記間隔部２９がその下方へ垂れ下がった状態に変形することを抑制できる。
これにより、調理鍋等の姿勢安定性が低下する不都合を防止することができる。また、外観上、前記前側長辺２２０周囲の美観も損なわれない。
【００３８】
前記排気口５７には、前記ブリッジ２８の下方に位置し、該排気口５７の長辺中央からやや下方の対向面相互間を連結する断面Ｖ字状の分流体５８が設けられている。即ち、前記排気ダクト５６がその先端近傍で二経路に分岐され、前記排気口５７は、その縦中心で第１排気口５７ａおよび第２排気口５７ｂに分割された状態になっている。
【００３９】
従って、前記グリル５１を使用する場合、前記グリルバーナ５２から発生する高温の燃焼排気は前記排気ダクト５６を通り、前記分流体５８によって左右二経路に分流される。即ち、前記第１排気口５７ａおよび第２排気口５７ｂそれぞれに分流された燃焼排気は、前記ブリッジ２８に直接的に噴きつけることなく、前記第１排気ダクト用開口部２２ａおよび前記第２排気ダクト用開口部２２ｂそれぞれからコンロ本体２の上方へ排出される。
これにより、前記ブリッジ２８の過熱による剛性低下が防止され、前記ブリッジ２８の機能を保持することができる。
【００４０】
尚、上記実施の形態においては、前記排気ダクト用開口部２２には、前記ブリッジ２８が前記間隔部２９から該排気ダクト用開口部２２の後側長辺中央までの間に一つ形成されたものを例示したが、前記ブリッジ２８が前記排気ダクト用開口部２２の長辺相互間に複数形成されたものであっても良い。この場合、前記前側長辺２２０が複数の前記ブリッジ２８によって支持されているから、該前側長辺２２０の変形強度が一層向上する。さらに、前記ブリッジ２８の下方には、上記実施の形態と同様にそれぞれ分流体５８が設けられており、前記高温の燃焼排気は該分流体５８によって複数経路に分流されるから、前記ブリッジ２８の剛性低下を防止することができる。
【００４１】
また、上記実施の形態における分流体５８は、前記排気ダクト５６に対して、前記排気口５７の長辺中央からやや下方までの領域に形成されている（図４参照）が、前記分流体５８の上端部が前記ブリッジ２８の下面近傍まで形成されたものであっても良い。このものでは、前記分流体５８の上端が前記ブリッジ２８の下面近傍に位置しているから、前記燃焼排気が前記ブリッジ２８に直接噴きつけられることを一層効果的に防止することができる。
【００４２】
尚、前記分流体５８は、燃焼排気を前記ブリッジ２８の横方向に分散させる形状であれば、断面Ｖ字状に限らず、断面矩形状であっても良いし、断面円弧状であっても良い。
【００４３】
さらに、上記実施の形態では、本願発明をビルトインコンロに適用した場合を例示的に説明したが、本願発明は、キッチンのカウンタトップに載置して使用する形式のテーブルコンロ等、種々の形式のガスコンロに適用することができる。
【図面の簡単な説明】
【図１】本発明の実施の形態に係るビルトインコンロの分解斜視図
【図２】本発明の実施の形態に係るビルトインコンロの天板２４の平面図
【図３】本発明の実施の形態に係るビルトインコンロの後端部分の断面図
【図４】本発明の実施の形態に係るビルトインコンロの排気ダクト５６上端近傍の断面図
【図５】従来のビルトインコンロの断面図
【図６】従来のビルトインコンロの天板２２４の平面図
【符号の説明】
２・・・コンロ本体
２２・・・排気ダクト用開口部
２４・・・天板
２５・・・バーナ用開口部
２６・・・本体ケース
２８・・・ブリッジ
３０・・・ガスバーナ
５１・・・グリル
５２・・・グリルバーナ
５６・・・排気ダクト
５７・・・排気口
５８・・・分流体
７１・・・五徳
【図１】
2004060962.tif 000003
【図２】
2004060962.tif 000004
【図３】
2004060962.tif 000005
【図４】
2004060962.tif 000006
【図５】
2004060962.tif 000007
【図６】
2004060962.tif 000008